(57)【特許請求の範囲】
【請求項１】
切断可能な複数のネジ保持部を端縁に設けた外カバーと、その外カバーと合致する内カバーとによって、制御素子を設置した基板が覆われているとともに、ネジ保持部の内の少なくとも１つが、ワンウェイタイプのネジによって内カバーに螺着された遊技機用制御装置であって、
前記ネジ保持部の外側を覆うハウジングと、該ハウジング内に設けられ、前記ネジ保持部と係合可能なネジ保持部用係合体と、前記ハウジング内にスライド可能に設けられ、且つ、切断可能に形成された複数のロック体と、前記ハウジング内に設けられ、前記ロック体の一部が係合可能なロック体用係合体とを有する被覆部材を設け、
前記被覆部材の前記ネジ保持部用係合体を前記ネジ保持部に係合させた状態で前記ロック体をスライドさせ、前記ロック体の一部を前記ロック体用係合体に係合させることにより、前記被覆部材の前記ネジ保持部に対する移動が規制され、前記ネジ保持部の外側を覆った状態で前記被覆部材が前記外カバーおよび／または内カバーに固定される一方、
前記ロック体のうち前記ロック体用係合体に係合された前記ロック体を切断すると、前記外カバーおよび／または内カバーに対する前記被覆部材の固定状態が解除されることを特徴とする遊技機用制御装置。
【請求項２】
前記ロック体の内の一部が他のものと異なる色に着色されていることを特徴とする請求項１に記載の遊技機用制御装置。
【発明の詳細な説明】
【技術分野】
【０００１】
本発明は、パチンコ機、スロットマシーン等の遊技機に用いる遊技機用制御装置に関するものである。
【背景技術】
【０００２】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、切断可能な複数のネジ保持部を左右両端縁に設けた外カバーと、その外カバーと合致する内カバーとによって、制御素子を設置した基板を覆うとともに、左右のネジ保持部の内の一つずつを、かしめネジ（基端部の外面に対して垂直な面と基端部の外面に対して緩やかに傾斜した面とを有するネジ突起を基端部に設けたもの）を用いて、ドライバ等では外れないように内カバーに螺着することにより、ネジ保持部を切断しなければ外カバーを取り外すことができないようにして、外カバーの取り外しの痕跡が残るように構成したものがある。
【０００３】
【特許文献１】特開平１１−０００４４４号公報
【発明の開示】
【発明が解決しようとする課題】
【０００４】
しかしながら、上記した切断可能なネジ保持部を設けた遊技機用制御装置は、かしめネジのヘッドに電気ドリル等で孔をあけられると、それらの孔を利用してネジを回転させることが可能となってしまうため、ネジ保持部を切断することなく外カバーを取り外すことができてしまう。このため、近年では、制御素子の不正取り替え、不正改造を効果的に防止することができなくなっていた。
【０００５】
本発明の目的は、上記従来の遊技機用制御装置の問題点を解消し、制御素子の不正取り替え、不正改造を効果的に防止することが可能な遊技機用制御装置を提供することにある。
【課題を解決するための手段】
【０００６】
本発明の内、請求項１に記載された発明は、切断可能な複数のネジ保持部を端縁に設けた外カバーと、その外カバーと合致する内カバーとによって、制御素子を設置した基板が覆われているとともに、ネジ保持部の内の少なくとも１つが、ワンウェイタイプのネジによって内カバーに螺着された遊技機用制御装置であって、前記ネジ保持部の外側を覆うハウジングと、該ハウジング内に設けられ、前記ネジ保持部と係合可能なネジ保持部用係合体と、前記ハウジング内にスライド可能に設けられ、且つ、切断可能に形成された複数のロック体と、前記ハウジング内に設けられ、前記ロック体の一部が係合可能なロック体用係合体とを有する被覆部材を設け、前記被覆部材の前記ネジ保持部用係合体を前記ネジ保持部に係合させた状態で前記ロック体をスライドさせ、前記ロック体の一部を前記ロック体用係合体に係合させることにより、前記被覆部材の前記ネジ保持部に対する移動が規制され、前記ネジ保持部の外側を覆った状態で前記被覆部材が前記外カバーおよび／または内カバーに固定される一方、前記ロック体のうち前記ロック体用係合体に係合された前記ロック体を切断すると、前記外カバーおよび／または内カバーに対する前記被覆部材の固定状態が解除されることを特徴とするものである。
【０００８】
請求項２に記載された発明は、請求項１に記載された発明において、前記ロック体の内の一部が他のものと異なる色に着色されていることを特徴とするものである。
【発明の効果】
【０００９】
請求項１に記載された遊技機用制御装置は、ネジ保持部の外側（前側）を覆う被覆部材が、外カバーおよび／または内カバーに着脱可能に設置されているため、被覆部材を取り外さなければ、ネジ保持部内のネジを露出させることができず、電気ドリル等を利用して無理矢理にネジを回転させることができないので、取付片を切断することなく外カバーが不正に取り外される事態を効果的に防止することができる。したがって、請求項１に記載された発明の制御装置によれば、制御素子の不正取り替え、不正改造を効果的に防止することができる。それにも拘わらず、必要に応じて、被覆部材を取り外し、ネジ保持部の取付片を切断して外カバーを取り外し、基板上に設置された制御素子の内容をチェックすることができる。
【００１０】
また、請求項１に記載された遊技機用制御装置は、ロック体をスライドさせるだけで被覆部材のネジ保持部に対する移動が規制され、被覆部材をネジ保持部の外側（前側）を覆うように固定できる一方、ロック体を切断するだけで被覆部材の固定状態を解除することができるので、ネジ保持部の外側（前側）への被覆部材の装着、脱着が容易である。
【００１１】
請求項２に記載された遊技機用制御装置は、ロック体の内の一部が他のものと異なる色に着色されているので、使用すべきロック体（内部のネジが下カバーと螺着されたネジ保持部の外側に位置したロック体）を容易に認識することができる。
【発明を実施するための最良の形態】
【００１２】
以下、本発明の遊技機用制御装置（以下、単に制御装置という）について、図面に基づいて詳細に説明する。図１は、制御装置の正面図であり、図２は、制御装置の左側面図である。制御装置１は、ＲＯＭ８やＣＰＵ等の種々の制御素子を搭載した基板４、透明な合成樹脂製の外カバー６および内カバー５等によって構成されている。また、外カバー６の左右両サイドには、それぞれ、被覆部材３ａ，３ｂが着脱自在に装着されている。
【００１３】
図３〜５は、被覆部材３ａ，３ｂを取り外した状態の制御装置１を示したものである。外カバー６は、幅広な箱形に形成された本体１４の左右両サイドに、それぞれ、４個のネジ保持部９，９・・が、上下に位置した切断可能な取付片１０，１０およびそれらの取付片１０，１０の中央に位置した取付片７によって一体的に連設されている。各ネジ保持部９，９・・は、矩形状の支持板１１の前側に略円筒状の保持体１２を設けたものであり、保持体１２の略中央には、ネジ挿通孔２が穿設されている。そして、左上および右下の各ネジ保持部９，９においては、ワンウェイタイプのネジ１３が、ネジ挿通孔２に挿通された状態で保持されている。
【００１４】
ワンウェイタイプのネジ１３は、ヘッドにネジ突起が突設されており、軸部の先端際にネジ溝が設けられている。また、ネジ突起は、ヘッドの外面に対して垂直な面と、ヘッドの外面に対して緩やかに傾斜した面とを有している。このため、ネジ突起の垂直面にマイナスのドライバを押し当てて右向きに回転させた場合には、ドライバとネジ突起の垂直面とが係合して回転するが、ドライバを左向きに回転させた場合には、ヘッド上でドライバとネジ突起とが係合せず回転しない。
【００１５】
一方、内カバー５は、外カバー６と同一幅で前面を開口した箱状に形成されており、外カバー６の各ネジ保持部９，９・・と対応する位置には、略四角柱状のネジ係合部４０，４０・・が一体的に突設されている。そして、それらのネジ係合部４０，４０・・の中央には、それぞれ、ネジ孔１５が穿設されている。
【００１６】
また、図６は、外カバー６の左側に装着された被覆部材３ａを示したものである。左右の被覆部材３ａ，３ｂは、いずれも、内側ハウジング１６、外側ハウジング１７、および４個のロック体１８，１８・・を組み付けることによって構成されている。なお、被覆部材３ａ，３ｂは、左右対称に形成されている点を除いて同様の形状を有しているため、以下においては、左側の被覆部材３ａについてのみ説明する。
【００１７】
図７は、左側の被覆部材３ａの外側ハウジング１７を示したものであり、外側ハウジング１７は、透明な合成樹脂によって、右側面を開口した縦長で中空な直方体状に形成されている。そして、前面には、内蔵されるロック体１８を動かしたり切断したりするための４つの窓１９，１９・・が設けられている。また、右側（内側）の端縁の略中央および上下の端縁際には、内側ハウジング１６と固着するための円柱状のボス２０，２０・・・が突設されている。また、後面には、外カバー６に設けられたネジ保持部９，９・・を嵌め込むための略長方形状の切り欠き２１が設けられている。
【００１８】
また、図８は、ロック体１８を示したものである。４個のロック体１８，１８・・の内の１個は、緑色に着色された透明な合成樹脂によって形成されており、残りの３個は、赤色に着色された透明な合成樹脂によって形成されている。なお、４個のロック体１８，１８・・とも同様な形状を有している。ロック体１８は、略中央に位置した切断可能な連結片２２によって、先端部２３と基端部２４とを連結した形状を有している。そして、先端部２３の表面（外面）には、スライドさせる際に用いる摘み２５が設けられている。また、先端部２３の裏面（内面）には、後述する内側ハウジング１６の係合体３５と係合させるための凹溝２６が設けられている。一方、基端部２４の裏面（内面）には、外カバー６に設けられたネジ保持部９と接合する接合片２７が突設されている。当該接合片２７は、上側の面が下向きに凸の曲面状に形成されている。
【００１９】
一方、図９は、内側ハウジング１６を示したものであり、内側ハウジング１６は、透明な合成樹脂によって一体的に形成されており、縦長で直方体状の収容部２８の右端縁に縦長な長方形状の係合板２９を連設した形状になっている。収容部２８は、３つの側面板（上板、下板および側板）３０，３０・・および底板３１によって表面（上面）を開口した箱状に形成されており、内部が３つの仕切板３２，３２・・によって４つの収容室３３，３３・・に区画された状態になっている。そして、各収容室３３，３３・・の底板３１には、ロック体１８の接合片２７を挿通させるための挿通孔３４が穿設されているとともに、ロック体１８の凹溝２６と係合させるための係合体３５が設けられている。なお、係合体３５の周囲は略コ字状に切り欠かれており、係合体３５が底面３１に対して上下動可能になっている。また、図９（ｅ）は、係合体３５の鉛直断面を示したものであり、係合体３５の下側の面は、底面３１に対して緩やかな傾斜した状態になっており、係合体３５の上側の面は、底面３１に対して略直交した状態になっている。
【００２０】
また、内側ハウジング１６の係合板２９は、外側（図９（ｂ）における左側）の端縁際に、外側ハウジング１７の右側の端縁を挿通させるための挿通長孔３６，３６・・が穿設されている。さらに、外側の端縁際の略中央および外側の端縁際には、外側ハウジング１７のボス２０，２０・・を挿通させるためのボス挿通孔３７，３７・・が穿設されている。加えて、係合板２９の内側（図９（ｂ）における右側）の端縁際には、外カバー６に取り付ける際にネジ保持部９の取付片１０と係合させるためのＬ字状の４つの第一係合体３８，３８・・が略等間隔に突設されているとともに、ネジ保持部９の取付片７と係合させるためのＬ字状の４つの第二係合体３９，３９・・が略等間隔に突設されている。
【００２１】
そして、被覆部材３ａは、各ロック体１８，１８・・の接合片２７を内側ハウジング１６の底面３１の挿通孔３４，３４・・に挿通させることによって各ロック体１８，１８・・を内側ハウジング１６の各収容室３３，３３・・に収容した状態で、内側ハウジング１６の収容部２８を外側ハウジング１７内に嵌め込み、外側ハウジング１７の右側の端縁を内側ハウジング１６の係合板２９の挿通長孔３６，３６・・に挿通させ、外側ハウジング１７の右側の端縁に突設されたボス２０，２０・・を内側ハウジング１６の係合板２９のボス挿通孔３７，３７・・に挿通させて当該ボス２０，２０・・を係合板２９に溶着（熱による溶着等）させることによって一体的に組み付けられている。なお、組み付けられた被覆部材３ａにおいては、４つのロック体１８，１８・・が、内側ハウジング１６の各収容室３３，３３・・にスライド可能に収容された状態になっている。また、組み付けられた被覆部材３ａにおいては、緑色のロック体１８が一番上側に位置しており、組み付けられた被覆部材３ｂにおいては、緑色のロック体１８が一番下側に位置している。
【００２２】
制御装置１は、基板４ａ，４ｂを内カバー５の内面に螺着した状態で、外カバー６と内カバー５とを重ね合わせた状態で、ワンウェイタイプのネジ１３，１３によって、左側の最上方のネジ保持部９（「１」を付したネジ保持部９）を左側の最上方のネジ係合部４０に螺着し、右側の最下方のネジ保持部９（「１」を付したネジ保持部９）を右側の最下方のネジ係合部４０に螺着することによって、組み立てられている。そして、ＲＯＭ８やＣＰＵ等の種々の制御素子を搭載した基板４が、外カバー６および内カバー５によって覆われた状態になっている。また、外カバー６の左右両サイドのすべてのネジ保持部９，９・・の外側（上側）に、それぞれ、被覆部材３ａ，３ｂが取り付けられており、左上および右下のネジ保持部９，９内のワンウェイタイプのネジ１３が、被覆部材３ａ，３ｂによって覆われた状態になっている。
【００２３】
外カバー６の左サイドのネジ保持部９，９・・へ被覆部材３ａ，３ｂを取り付ける際には、内側ハウジング１６の各第一係合体３８，３８・・を、外カバー６の本体１４と各ネジ保持部９，９・・との隙間における中央の取付片７と下側の取付片１０との間に挿入し、内側ハウジング１６の各第二係合体３９，３９・・を、上側の取付片１０と中央の取付片７との間に挿入するようにして、外側ハウジング１７の切り欠き２１の内部にすべてのネジ保持部９，９・・を嵌め込み、その状態で被覆部材３ａ，３ｂ全体を下側にスライドさせる。そのようにスライドさせることによって、内側ハウジング１６の各第一係合体３８，３８・・が、各ネジ保持部９，９・・の下側の取付片１０に係合するとともに、内側ハウジング１６の各第二係合体３９，３９・・が、各ネジ保持部９，９・・の中央の取付片７に係合する。そして、各ロック体１８，１８・・が、各ネジ保持部９，９・・の前側に配置された状態となる。そして、その状態で、ネジ係合部４０，４０と螺着したネジ保持部９，９の前方に位置したロック体１８，１８（被覆部材３ａの最上方に位置した緑色のロック体１８、および、被覆部材３ｂの最下方に位置した緑色のロック体１８）を上方へスライドさせることによって、先端部２３の凹溝２６を内側ハウジング１６の底板３１の係合体３５と係合させる。なお、そのように先端部２３の凹溝２６を係合体３５と係合させると、ロック体１８がその位置で固定されて動かすことができなくなる。また、上記の如くロック体１８を上方へスライドさせると、先端部２３の裏面の接合片２７がネジ保持部９の外面と接合した状態で固定されるため、被覆部材３ａ，３ｂ全体が、ネジ保持部９，９・・の外側を覆った状態で固定され、被覆部材３ａ，３ｂをネジ保持部９，９・・から取り外すことができなくなる。
【００２４】
上記の如く構成された制御装置１は、パチンコ機の裏面側の機構板等に設置された状態で使用される。そして、搭載されたＲＯＭ８やＣＰＵ等の種々の制御素子によって、パチンコ機の作動内容を制御する。
【００２５】
また、制御装置１は、外カバー６のネジ保持部９，９と内カバー５のネジ係合部４０，４０とが、ワンウェイタイプのネジ１３，１３によって螺着されているため、ネジ１３を螺着時と反対方向（左回り）に回転させることができないため、ネジ保持部９とネジ係合部４０との螺着状態が解除されない。それゆえ、外カバー６を取り外す場合には、ネジ係合部４０，４０と螺着したネジ保持部９，９の前方に設けられた取付片７および取付片１０，１０・・を、ニッパ等の工具で切断し、かかるネジ保持部９，９を外カバー６から切り離すことによって、外カバー６と内カバー５とを分離しなければならない。
【００２６】
また、再度 外カバー６を内カバー５に合着させる場合には、左上および右下のネジ保持部９，９以外のネジ保持部９，９（すなわち、未だネジ係合部４０と螺着していない同じ番号を付したネジ保持部９，９同士）を、それぞれ、ネジ１３，１３により同位置のネジ係合部４０，４０と螺着すれば良い。それゆえ、一旦、外カバー６と内カバー５とを分離した後でも、再度、外カバー６を内カバー５に合着させることができ、そのような外カバー６、内カバー５の分離、合着を４回繰り返すことができる。
【００２７】
さらに、左右のネジ保持部９，９・・の外側（前側）を覆った被覆部材３ａ，３ｂを取り外す場合には、上側にスライドした状態で固定されているロック体１８，１８の連結片２２を、ニッパ等の工具で切断し、先端部２３の裏面の接合片２７とネジ保持部９の外面との接合状態を解除しなければならない。そのように接合片２７とネジ保持部９の外面との接合状態を解除すると、被覆部材３ａ，３ｂを上方へスライドさせることが可能となり、その状態で、被覆部材３ａ，３ｂを前方へ引き出すことによって、被覆部材３ａ，３ｂを取り外すことができる。
【００２８】
また、再度、外カバー６の左右両サイドのネジ保持部９，９・・の外側（前側）に、被覆部材３ａ，３ｂを取り付ける場合には、上記の如く、被覆部材３ａ，３ｂの外側ハウジング１７の切り欠き２１の内部にすべてのネジ保持部９，９・・を嵌め込み、その状態で被覆部材３ａ，３ｂ全体を下側にスライドさせた状態で、被覆部材３ａの最上方のロック体１８および被覆部材３ｂの最下方のロック体１８以外のロック体１８，１８（すなわち、未だネジ係合部４０と螺着していない同じ番号を付したネジ保持部９，９の前側に位置した赤色のロック体１８，１８同士）を、それぞれ、上側にスライドさせれば良い。それゆえ、一旦、外カバー６の左右両サイドのネジ保持部９，９・・から被覆部材３ａ，３ｂを取り外した後でも、再度、外カバー６の左右両サイドのネジ保持部９，９・・の外側に被覆部材３ａ，３ｂを取り付けることができ（外れないように固定することができ）、そのような被覆部材３ａ，３ｂの装着、脱着を４回繰り返すことができる。
【００２９】
制御装置１は、上記の如く、外カバー６を内カバー５と分離するためには、被覆部材３ａ，３ｂのロック体１８，１８の連結片２２を切断して被覆部材３ａ，３ｂを上カバー６から取り外した上で、取付片７および取付片１０，１０を切断することによりネジ係合部４０，４０と螺着されたネジ保持部９，９を外カバー６から切り離さなければならないため、外カバー６が取り外された場合には、必ずその痕跡が残る。それゆえ、外カバー６の開閉の有無を容易に把握することができる。それにも拘わらず、ロック体１８，１８・・の連結片２２および各ネジ保持部９，９・・の各取付片７，１０，１０が容易に切断可能な構造を有しているため、それらの取付片７，１０，１０をニッパ等の工具で切断することによって、外カバー６を容易に取り外して、基板４上に設置された制御素子８の内容をチェックすることができる。
【００３０】
その上、制御装置１は、ネジ保持部９，９・・の外側（前側）が被覆部材３ａ，３ｂによって覆われており、被覆部材３ａ，３ｂを取り外さなければ、各ネジ保持部９，９・・内のネジ１３を露出させることができず、電気ドリル等を利用して無理矢理にネジを回転させることができないので、取付片７および取付片１０，１０を切断することなく外カバー６が不正に取り外される事態を効果的に防止することができる。したがって、制御装置１によれば、制御素子８の不正取り替え、不正改造を効果的に防止することができる。
【００３１】
さらに、制御装置１は、ロック体１８をスライドさせて先端部２３を内側ハウジング１６の係合体３５に係合させると、被覆部材３ａ，３ｂがネジ保持部９，９・・の外側（前側）を覆った状態で外カバー６に固定されるとともに、内側ハウジング１６の係合体３５に係合されたロック体１８を切断すると、外カバー６に対する被覆部材３ａ，３ｂの固定状態が解除される構造を有しているため、ロック体１８をスライドさせるだけで被覆部材３ａ，３ｂをネジ保持部９，９・・の外側（前側）を覆うように固定でき、ロック体１８を切断するだけで被覆部材３ａ，３ｂの固定状態を解除することができるので、ネジ保持部９，９・・の外側（前側）への被覆部材３ａ，３ｂの装着、脱着が容易である。
【００３２】
加えて、制御装置１は、被覆部材３ａの左上のロック体１８、および、被覆部材３ｂの右下のロック体１８が他のロック体１８，１８・・と異なる色になっているので、最初に使用すべきロック体１８，１８を容易に認識することができる。
【００３３】
なお、本発明の制御装置は、上記実施形態の態様に何ら限定されるものではなく、基板、外カバー、内カバー、ワンウェイタイプのネジ、被覆部材等の形状、構造等の構成を本発明の趣旨を逸脱しない範囲内で適宜変更することができる。
【００３４】
たとえば、外カバーに設けるネジ保持部の個数は、４個に限定されず、３個以下あるいは５個以上でも良い。また、外カバーの本体とネジ保持部とを連結する取付片の個数も、３個に限定されず、２個以下でも良いし、４個以上でも良い。さらに、ネジ保持部の設置位置は、外カバーの左右両端縁に限定されず、外カバーの上下両端縁でも良い。
【００３５】
また、被覆部材の形状は、上記実施形態の如く、４個のロック体を内蔵したものに限定されず、３個以下、あるいは５個以上のロック体を内蔵したものでも良い。加えて、被覆部材は、上記実施形態の如く、外カバーに装着されるものに限定されず、ネジ保持部の外側を覆うように内カバーに装着されるものに変更することも可能である。
【００３６】
さらに、上記実施形態においては、ロック体を異なる色に着色することによって識別可能とした一例について説明したが、ロック体の識別方法は、かかる方法に限定されず、ロック体の表面に記号、文字、数字や図柄等を表記することによって識別できるように構成することも可能である。かかる構成を採用する場合には、すべてのロック体に通し番号を表記する等の方法によって、ロック体の解除順を認識できるようにすることも可能である。そのように構成することによって、使用者（ホール管理者等）が誤った順序でロック体を解除する事態が起こりにくくなる、というメリットがある。
【００３７】
また、上記の如く、ロック体の表面に記号、文字、数字や図柄等を表記する場合には、ロック体に施す表記と同様な表記を、当該ロック体に対応したネジ（ワンウェイタイプのかしめネジ）に施すことも可能である。そのような構成を採用することにより、ロック体と当該ロック体に対応したネジとを確認しながらロック体を切断することが可能となり、下カバーに螺着されていないネジ保持部の外側に位置したロック体を誤って切断する事態を効果的に防止することが可能となる。
【００３８】
さらに、上記の如く、ロック体の表面に記号、文字、数字や図柄等を表記する場合には、ロック体に施す表記と同様な表記を、当該ロック体に対応したネジ保持部（支持板、保持体）や取付片に施すことも可能である。そのような構成を採用することにより、ロック体と当該ロック体に対応したネジ保持部や取付片とを確認しながらロック体を切断することが可能となり、下カバーに螺着されていないネジ保持部の外側に位置したロック体を誤って切断する事態を効果的に防止することが可能となる。
【００３９】
加えて、ネジ保持部を螺着するために用いるワンウェイタイプのネジは、上記実施形態の如く、先端が平坦なネジに限定されず、先端の尖った木ネジ等の他の形状を有するものでも良い。加えて、ヘッドに２個のネジ突起が設けられたものに限定されず、４個のネジ突起が設けられたプラスタイプのドライバで回転可能なもの等でも良い。
【００４０】
なお、上記実施形態においてはパチンコ機に使用される制御装置について説明したが、本発明の制御装置が使用される遊技機は、スロットマシーンやテレビゲーム等のパチンコ機以外の遊技機でも良い。
【図面の簡単な説明】
【００４１】
【図１】遊技機用制御装置の正面図である。
【図２】遊技機用制御装置の左側面図である。
【図３】被覆部材を取り外した状態の遊技機用制御装置の正面図である。
【図４】被覆部材を取り外した状態の遊技機用制御装置の左側面図である。
【図５】被覆部材を取り外した状態の遊技機用制御装置の斜視図である。
【図６】被覆部材を示す説明図である（ａは正面図であり、ｂは右側面図であり、ｃは斜視図である）。
【図７】被覆部材の外側ハウジングを示す説明図である（ａは正面図であり、ｂは右側面図であり、ｃは底面図であり、ｄは斜視図である）。
【図８】被覆部材のロック体を示す説明図である（ａは正面図であり、ｂは右側面図であり、ｃは底面図であり、ｄは斜視図である）。
【図９】被覆部材の内側ハウジングを示す説明図である（ａは正面図であり、ｂは右側面図であり、ｃは底面図であり、ｄは斜視図であり、ｅは係合体の鉛直断面を示す説明図である）。
【符号の説明】
【００４２】
１・・制御装置
３ａ，３ｂ・・被覆部材
４・・基板
５・・内カバー
６・・外カバー
７・・取付片
８・・制御素子  
９・・ネジ保持部
１０・・取付片
１３・・ネジ
１８・・ロック体
３５・・係合体
【図１】
0005282330.tif 000002
【図２】
0005282330.tif 000003
【図３】
0005282330.tif 000004
【図４】
0005282330.tif 000005
【図５】
0005282330.tif 000006
【図６】
0005282330.tif 000007
【図７】
0005282330.tif 000008
【図８】
0005282330.tif 000009
【図９】
0005282330.tif 000010